(57)【要約】【課題】本発明はガス遮断装置の電流消費課題を解決する。【解決手段】ガス遮断装置０において、電源から非接触電源送信部６から電磁誘導にて非接触電源受信部５へ電力を供給し、非接触電源受信部５からからガス遮断装置０に電源を供給することで電流消費を解決したガス遮断装置とする。【選択図】図１
2005265761.tif 000002
【特許請求の範囲】
【請求項１】
電源と、非接触で電源を供給する非接触電源送信部を有する電源供給装置と、非接触供給された電源を受け取る非接触電源受信部と、電源供給されていないときおよび弁閉信号がある場合に閉じる弁と、流量入力部と、制御部と、報知手段を有し、非接触電源受信部により電源を供給するガス遮断装置。
【請求項２】
非接触電源受信部から二次電池に電源を供給し、二次電池により報知手段もしくは通信手段に電源を供給する請求項１に記載のガス遮断装置。
【請求項３】
非接触電源受信部からコンデンサに電源を供給し、コンデンサにより報知手段もしくは通信手段に電源を供給する請求項１に記載のガス遮断装置。
【発明の詳細な説明】
【技術分野】
【０００１】
本発明は、ガス遮断装置に関して特に電源に関するものである。
【背景技術】
【０００２】
従来のこの種のガス遮断装置で外部から電源を用いるものは、特開２００２−１６８６７３号公報に示すようなものが一般的であった。この装置は図３に示されているようにガス遮断装置を太陽電池もしくは２次電池を利用して、電源として供給するように構成されていた。
【特許文献１】特開２００２−１６８６７３号公報
【発明の開示】
【発明が解決しようとする課題】
【０００３】
しかしながら従来のガス遮断装置は、長期間メンテナンスを行わない保安装置の仕様となっているため、ガス遮断装置全体の電源を太陽電池および２次電池とする場合、設置条件および電池の長期耐久性能など未知の部分が多く、それらの想定できる障害を考慮して設計するとコストが削減できないという課題を有していた。また、ガス遮断装置は電池駆動のためにあらゆる電流消費事象を想定して省電力設計を行わなければならず、使用期間を満足できずに機能停止しないように消費電流の高い高速マイコンを用いることができなかった。
【課題を解決するための手段】
【０００４】
本発明は上記課題を解決するために、ガス遮断装置の電源を非接触外部電源による駆動として、ガス遮断装置の電源供給問題自体の解決を行う。
【０００５】
上記発明によれば、電源供給による設計を大幅に変更でき、外部電源が供給されていれば確実に保安機能を動作させることにより開発コストの削減をすることが可能となる。
【発明の効果】
【０００６】
本発明のガス遮断装置によれば、外部より非接触で電源を供給するため、電流消費を気にすることなく、高速マイコンを用いた計測機能、保安機能等の高機能化することが可能となる効果がある。
【発明を実施するための最良の形態】
【０００７】
第１の発明は、電源と、非接触で電源を供給する非接触電源送信部を有する電源供給装置と、非接触供給された電源を受け取る非接触電源受信部と、電源供給されていないときおよび弁閉信号がある場合に閉じる弁と、流量入力部と、制御部と、報知手段を有し、非接触電源受信部により電源を供給するガス遮断装置であり、電源消費を気にすることなく、確実に保安機能を動作させる設計でき開発コストの削減することが可能となる効果がある。
【０００８】
第２の発明は、第１の発明において、非接触電源受信部から二次電池に電源を供給し、二次電池により報知手段もしくは通信手段に電源を供給するガス遮断装置であり、電源消費を気にすることなく、かつ外部からの電源供給が止まった場合も確実に保安機能を動作させる設計でき開発コストの削減することが可能となる効果がある。
【０００９】
第３の発明は、第１の発明において、非接触電源受信部からコンデンサに電源を供給し、コンデンサにより報知手段もしくは通信手段に電源を供給するガス遮断装置であり、電源消費を気にすることなく、かつ外部からの電源供給が止まった場合も確実に保安機能を動作させる設計でき開発コストの削減することが可能となる効果がある。
【００１０】
以下、本発明の実施例について図面を用いて説明する。なお、本実施の形態によって本発明が限定されるものではない。
【００１１】
（実施の形態１）
図１は本発明の実施の形態１のガス遮断装置０と電源供給装置１のブロック図である。
【００１２】
図１について説明する。流量入力部２より流量を検知して制御部３に流量信号Ｎ１を出力する。制御部３が流量信号Ｎ１を受け取ると流量が任意に設定した流量かを判定し、設定した流量を超えていれば弁４に弁閉出力信号Ｎ２を出力する。弁４が弁閉出力信号Ｎ２を受け取ると弁を閉じる。制御部３は弁４に信号を出力する。流量入力部２、制御部３、弁４は非接触電源受信部５から電源を供給されている。非接触電源受信部５は、電源供給装置１の非接触電源送信部６から交流電磁場Ｎ３より電力を受信し、交流磁場Ｎ３から発生した交流を整流して直流電源として流量入力部２、制御部３、弁４への電源供給を行う。なお、非接触電源受信部５と非接触電源送信部６の電力の送受信はマイクロ波等を用いたエネルギー送電手法を用いてもかまわない。電源供給装置１の非接触電源送信部６は、電源７から電源供給Ｎ４を受けて非接触電源受信部５に向けて交流磁場Ｎ３を発生させる。
【００１３】
上記実施の形態により、電源の供給を外部電源から行うことで、電流消費を気にすることなく、保安機能を動作させる設計でき開発コストの削減することが可能となる効果がある。
【００１４】
（実施の形態２）
図２は本発明の実施の形態２のガス遮断装置０と電源供給装置１のブロック図である。
【００１５】
図２について説明する。流量入力部２より流量を検知して制御部３に流量信号Ｎ１を出力する。制御部３が流量信号Ｎ１を受け取ると流量が任意に設定した流量かを判定し、設定した流量を超えていれば弁４に弁閉出力信号Ｎ２を出力する。弁４が弁閉出力信号Ｎ２を受け取ると弁を閉じる。制御部３は弁４に信号を出力する。流量入力部２、制御部３、弁４は非接触電源受信部５から電源を供給されている。また、２次電池８により、制御部３および弁４に電源が供給され、非接触電源受信部５から電源供給がなくなった場合に、制御部３は弁４に弁閉出力信号Ｎ２を出力する。２次電池８は非接触電源受信部５より充電されている。非接触電源受信部５は、電源供給装置１の非接触電源送信部６から交流電磁場Ｎ３より電力を受信し、交流磁場Ｎ３から発生した交流を整流して直流電源として流量入力部２、制御部３、弁４への電源供給を行う。なお、非接触電源受信部５と非接触電源送信部６の電力の送受信はマイクロ波等を用いたエネルギー送電手法を用いてもかまわない。電源供給装置１の非接触電源送信部６は、電源７から電源供給Ｎ４を受けて非接触電源受信部５に向けて交流磁場Ｎ３を発生させる。なお、２次電池８はコンデンサでもかまわない。
【００１６】
上記実施の形態により、電源の供給を外部電源から行うことで、電流消費を気にすることなく、かつ、停電時に外部からの電源が供給できない場合でも確実に保安機能を動作させる設計でき開発コストの削減することが可能となる効果がある。
【産業上の利用可能性】
【００１７】
以上のように、本発明にかかるガス遮断装置は、非接触で電源を供給するための非接触電源受信部使用することで、電流消費を気にすることなく高速マイコンによる高機能化が可能となるので、電流消費の高いマイコンによる処理をさせてより保安機能や計測機能の高いガス遮断装置を実現できる。
【図面の簡単な説明】
【００１８】
【図１】本発明の実施の形態１におけるガス遮断装置のブロック図
【図２】本発明の実施の形態２におけるガス遮断装置のブロック図
【図３】従来のガス遮断装置のブロック図
【符号の説明】
【００１９】
０  ガス遮断装置
１  電源供給装置
２  流量入力部
３  制御部
４  弁
５  非接触電源受信部
６  非接触電源送信部
７  電源
８  二次電池
【図１】
2005265761.tif 000003
【図２】
2005265761.tif 000004
【図３】
2005265761.tif 000005